(57)【要約】      （修正有）【課題】屋外の水源を利用可能とすると共に健康増進作用を発揮する携帯式濾過器を提供する。【解決手段】定位ソケット１、加圧装置２及び濾過器３からなり、定位ソケットの水容器の開口に係止する段部からなる係止部によって容器開口に係止して、濾過器を該容器内にセットすることができ、シリンダ―２５とピストン２３からなる加圧装置の加圧操作によって容器内の水を濾過器の各濾過層に迅速に浸透させて濾過効果を達成する。濾過器内には水のろ過層と共に各種の有用鉱物顆粒や殺菌、滅菌作用を有するろ過層を配置する。【選択図】図１
0003150946.tif 000002
【実用新案登録請求の範囲】
【請求項１】
定位ソケット、加圧装置、濾過器からなり、
前記定位ソケットは、中空殻体であり、その下方に開口及び該開口に隣接する接続壁を有し、且つ該接続壁の上部は、水容器の開口を係止する段部からなる係止部を形成し、前記接続壁は、濾過器の上方とネジ固定接続し、該定位ソケットの上方開口は、接続壁を有して加圧装置をネジ固定接続され、
前記加圧装置は、固定蓋、ピストンロッド、ピストン、弁及びシリンダを有し、固定蓋は、ネジ固定又はその他の接続方式で定位ソケット上方の接続壁と接続し、該固定蓋は、ソケット内方向に突出した内環形壁を有してシリンダの上方とネジ固定接続し、且つ該固定蓋は、上下に貫通する軸孔を有してピストンロッドのロッド体を貫通させ、該ピストンロッドのロッド体上方に柄部を連結し、ロッド体の下方は前記固定蓋を貫通して前記ピストンと連結し、該ピストンは、外周に環形溝を形成してパッキンを嵌合し、該ピストンロッドは、ピストンを連結して前記シリンダ内に挿入し、前記シリンダの底壁面には、弁上方の嵌合部を嵌合固定させる環状の定位溝及び相互に間隔を有する排気孔を設けて、前記弁を嵌合固定させて該弁の上面に前記シリンダの底壁面の排気孔を遮蔽させ、該弁は、フレキシブルなゴム又はプラスチック材質を採用してなり、
前記濾過器は、収容殻体及び該収容殻体内部に装着される複数の濾過層を具え、該収容殻体の上方は、開口を有し、ネジ固定方式で定位ソケット下方の接続ソケットと接続し、収容殻体の底壁面には、複数の貫通孔を設け、前記複数の濾過層は、それぞれセラミック片濾過層、竹炭添加重金属除去剤濾片濾過層、イオン交換樹脂顆粒濾過層、銅亜鉛合金（ＫＤＦ）顆粒濾過層、亜硫酸カルシウム顆粒濾過層、アルカリ性微量元素鉱石顆粒濾過層、電気石、セラミック焼結顆粒濾過層、及び抗菌銀イオン不織布濾過層である携帯式濾過器。
【請求項２】
前記定位ソケット上方の接続壁と加圧装置の固定蓋は、外螺子山と内螺子山が相互にネジ結合方式で組接され、且つ該固定蓋は、更に環形凹溝を設けてシールパッドを嵌合させて気密効果を維持する請求項１記載の携帯式濾過器。
【請求項３】
前記定位ソケット下方の接続壁と濾過器の収容殻体の上方開口は、外螺子山と内螺子山が相互にネジ結合方式で組接され、且つ該定位ソケットの接続壁は、環形凹溝を設けて、シールパッドを嵌合させて気密効果を維持する請求項１記載の携帯式濾過器。
【請求項４】
前記加圧装置の固定蓋の内環形壁とシリンダの上方は、内螺子山と外螺子山が相互にネジ結合方式で組接され、且つ該定位ソケットの接続壁は、環形凹溝を設けてシールパッドを嵌合させ気密効果を増加する請求項１記載の携帯式濾過器。
【請求項５】
前記濾過器の収容殻体に設けた竹炭添加重金属剤除去濾片濾過層は、該竹炭添加重金属剤除去濾片は、高圧縮炭棒を焼成してなり、該収容殻体に設けたアルカリ性微量元素鉱物顆粒濾過層は、該微量元素鉱石顆粒を鉱物元素粉末として成型固定した後、高温焼結して顆粒状にしてなり、該収容殻体に設けた電気石、セラミック焼結顆粒濾過層の電気石、セラミック焼結顆粒は、遠赤外線を発生する電気石、セラミック焼結顆粒である請求項１記載の携帯式濾過器。
【考案の詳細な説明】
【技術分野】
【０００１】
本考案は、携帯式濾過器に関し、水を入れる容器の開口に係止設置され、且つその濾過器を該容器内にセットし、加圧装置により容器内の水を迅速に濾過器の各濾過層に浸透させ、良好な濾過効果を達成し、濾過後の水を飲用した後、人体の健康に有益とさせる携帯式濾過器に関する。
【背景技術】
【０００２】
一般の室内の飲用水は、そのまま飲用とすることができるが、室外、例えば、登山、ハイキング、行軍等の場合は、しばしば容器として瓶を使用して水を携行するか、あるいは現地で入手した水を飲用に供するためにガス又は電熱によって水を煮沸しなければならず、ガス又は電力エネルギーを消費したり、ペットボトルを大量に使用するなど、エネルギーの節約、炭素の減少をすることができず、環境保全の原則に適合していない。
【０００３】
家庭内では蛇口に濾過器を装着して、水源を濾過することができるが、各種の濾過器の品質は一定ではなく、濾過された水が安心して飲用とすることができるかどうかが不確かであり、郊外、山頂又は行軍等の場合では、渓流、山水等の水源があるが、同様に直接安心して飲用することはできない。
【０００４】
更に、現在市販されている濾過器を設置したポットは、水とその濾過層の接触により水を濾過するが、水が各濾過層を十分に浸透することができないので、濾過効果は、予期したとおりにならず、濾過後の水は、依然として酸性に偏り、人体の健康に対して有益な作用はない。
【先行技術文献】
【特許文献】
【０００５】
【特許文献１】特開２０００−５１８７０号公報
【考案の概要】
【考案が解決しようとする課題】
【０００６】
本考案の目的は、定位ソケットの係止部によって水を入れる容器開口の上端縁に係止して濾過器を該容器内にセットし、加圧装置の加圧操作によって容器内の水を迅速に濾過器の各濾過層に浸透して、好適な濾過効果を達し、人体の健康に有益な飲用水を提供することができる携帯式濾過器を提供することである。
【０００７】
本考案のもう１つの目的は、携帯に便利であり、室内外各種場所で水道水、渓流、山水等の水源の水を容器内に注ぎ、本考案の携帯式濾過器によって濾過した後、飲用として提供し、家庭、職場、登山、ハイキング又は行軍野戦等の場合に適用できる携帯式濾過器を提供することである。
【０００８】
本考案の更にもう１つの目的は、ガス又は電熱を使用し、煮沸することなく、ペットボトルの水を購入する必要もなく、省エネルギーで炭素減少を達成し、環境保全の目的を達成する携帯式濾過器を提供することである。
【課題を解決するための手段】
【０００９】
本考案は、定位ソケット、加圧装置、濾過器から構成され、前記定位ソケットは、中空殻体であり、その下方に開口を形成する接続壁を有し、且つ該接続壁の上部は水容器開口を係止する段部を構成し、前記接続壁は、濾過器の上方にネジ固定接続し、該定位ソケットの上方は、開口を有する接続壁を形成し、該開口を閉塞するように該接続壁に加圧装置をネジ固定接続し、前記加圧装置は、固定蓋、ピストンロッド、ピストン、弁及びシリンダを有し、固定蓋は、ネジ固定又はその他の接続方式で定位ソケット上方の接続壁と接続し、該固定蓋は、ソケット内方向に突出した内環形壁を具えてシリンダの上方とネジ固定して接続し、且つ該固定蓋は、上下に貫通する軸孔を有してピストンロッドのロッド体を貫通させ、該ピストンロッドのロッド体上方に柄部を連結し、ロッド体の下方を前記固定蓋を貫通して前記ピストンと連結し、該ピストンは、外周に環形溝を設けてパッキンを嵌合させ、該ピストンロッドは、ピストンを連結した後、前記シリンダ内にセットし、前記シリンダの底壁面は、前記弁上方の嵌合部を嵌合固定する定位溝及び相互に間隔を有する排気孔を設けて、該弁の上面で前記シリンダの底壁面の排気孔を閉塞できるようにし、フレキシブルなゴム又はプラスチック材質を採用してなり、前記濾過器は、収容殻体及び該収容殻体内部に装着される複数の濾過層を具え、該収容殻体の上方に開口を設けて、ネジ固定方式で定位ソケット下方の接続ソケットと接続し、収容殻体の底壁面は、複数の貫通孔を設け、前記複数の濾過層は、それぞれセラミック片濾過層、竹炭添加重金属除去剤濾片濾過層、イオン交換樹脂顆粒濾過層、銅亜鉛合金（ＫＤＦ）顆粒濾過層、亜硫酸カルシウム顆粒濾過層、アルカリ性微量元素鉱石顆粒濾過層、エネルギー石顆粒濾過層、及び抗菌銀イオン不織布濾過層である、携帯式濾過器を提供する。
【考案の効果】
【００１０】
本考案は、以下の増進効果を有する：
１．定位ソケット１の係止部１３によって水を入れる容器４の開口上端縁４１に係止    して濾過器３を該容器４内にセットし、加圧装置２の加圧操作によって容器４内の水を迅速に濾過器３の各濾過層３１,３２，３８，３３，３４，３５，３６，３７に迅速に浸透させることによって、良好な濾過効果を達成し、人体の健康に有益な飲用水を提供することができる。
２．携帯に便利であり、家庭、職場、登山、ハイキング又は行軍野戦等の場合に適用することができる。
３．環境を悪化させる炭素を減少させ、環境保全の目的を達成することができる。
【図面の簡単な説明】
【００１１】
【図１】本考案の実施例の定位ソケット、加圧装置及び濾過器の収容殻体の構成部材の立体分解図（複数の濾過層を図示せず）である。
【図２】本考案の実施例の定位ソケット、加圧装置及び濾過器の収容殻体の構成部材の立体図である。
【図３】本考案の実施例の容器を係止する使用状態断面拡大説明図である。
【考案を実施するための形態】
【００１２】
図１〜図３に示すように、本考案の携帯式濾過器は、定位ソケット１、加圧装置２、濾過器３からなる。
【００１３】
定位ソケット１は、中空殻体であり、その下方に開口１１（図３参照）及び該開口１１を具える接続壁１２を有し、且つ該接続壁１２の上部には水容器の開口に係止する段部からなる係止部１３を形成し、前記接続壁１２は、濾過器３の上方とネジ固定接続し、該定位ソケット１の上方開口１４は、接続壁１５により加圧装置２をネジ固定接続する。
【００１４】
加圧装置２は、固定蓋２１、ピストンロッド２２、ピストン２３、弁２４及びシリンダ２５を具え、固定蓋２１は、ネジ固定又はその他の接続方式で定位ソケット１上方の接続壁１５と接続し、該固定蓋２１は、ソケット内方向に突出した内環形壁２１１（図３参照）を有して、シリンダ２５の上方とネジ固定接続し、且つ該固定蓋２１は、上下に貫通する軸孔２１２を有し、ピストンロッド２２のロッド体２２１を貫通させ、該ピストンロッド２２のロッド体２２１上方に柄部２２２を設け、ロッド体２２１の下方が前記固定蓋２１を貫通して前記ピストン２３と連結される。
該ピストン２３は、環形溝２３１を有し、パッキン２３２を套設させ、該ピストンロッド２２は、ピストン２３を連結した後、前記シリンダ２５内部２５１内に挿入する。前記シリンダ２５の底壁面２５２（図３参照）には、前記弁２４上方の嵌合部２４１を嵌合固定させる定位溝２５２１及び相互に間隔を有する排気孔２５２２を有し、該定位溝２５２１は、、該弁２４の上面２４２により前記シリンダ２５の底壁面２５２の排気孔２５２２を閉塞する。
【００１５】
濾過器３は、収容殻体３０及び該収容殻体３０内部に装着される複数の濾過層３１,３２，３３，３４，３５，３６，３７（図３参照）を具え、該収容殻体３０の上方には、開口３０１を有し、ネジ固定方式で定位ソケット１下方の接続ソケット１２と接続し、収容殻体３０の底壁面３０２（図３参照）には、複数の貫通孔３０２１を設け、前記複数の濾過層３１,３２，３３，３４，３５，３６，３７は、それぞれセラミック片濾過層３１、竹炭添加重金属除去剤濾片濾過層３２、イオン交換樹脂顆粒濾過層３８、銅亜鉛合金（ＫＤＦ）顆粒濾過層３３、亜硫酸カルシウム顆粒濾過層３４、アルカリ性微量元素鉱石顆粒濾過層３５、電気石、セラミック焼結顆粒濾過層３６、及び抗菌銀イオン不織布濾過層３７である。
【００１６】
更に、前記定位ソケット１上方の接続壁１５と加圧装置２の固定蓋２１は、外螺子山１５１と内螺子山２１３（図３参照）が相互にネジ固定方式で接合され、且つ固定蓋２１には、更に、環形凹溝２１４を設けて、シールパッド２１５を嵌合し、気密効果を持たせる。
【００１７】
また、前記固定ソケット１下方の接続壁１２と濾過器３の収容殻体３０の上方開口３０１は、外螺子山１２１と内螺子山３０１１が相互にネジ固定方式で接合される。
【００１８】
また、前記加圧装置２の固定蓋２１の内環形壁２１１（図３参照）及びシリンダ２５の上方は、内螺子山２１１１と外螺子山２５０が相互にネジ固定方式で接合され、更に固定蓋２１に内環形凹溝２１１６を設け、シールパッド２１１７を嵌合し、気密効果を保持する。
【００１９】
また、前記加圧装置２の弁２４は、フレキシブルなゴムまたはプラスチック材質を採用する。
【００２０】
前記構成部材の構成によって、定位ソケット１の係止部１３を水を入れる容器４の上端縁４１（図３参照）に係止して、濾過器３を該容器４内部にセットさせ、該容器４内の水に対して濾過を行う。使用者は、加圧装置２のピストンロッド２２の柄部２２２をつかみ、ピストンロッド２２を上下往復操作させることによって、シリンダ内部の空気を加圧して、シリンダ２５の底壁面２５２の排気孔２５２２を通過させ、空気圧力によってシリンダ２５の底壁面２５２と弁２４の上面２４２の間に隙間を形成し、加圧した空気を前記弁２４とシリンダ２５の底壁面２５２の間が形成する隙間を経由して下向きに濾過層３へ侵入させ、容器４内の水を前記空気圧力によってセラミック片濾過層３１、竹炭添加重金属除去剤濾片濾過層３２、イオン交換樹脂顆粒濾過層３８、銅亜鉛合金（ＫＤＦ）顆粒濾過層３３、亜硫酸カルシウム顆粒濾過層３４、アルカリ性微量元素鉱石顆粒濾過層３５、エネルギー石顆粒濾過層３６、及び抗菌銀イオン不織布濾過層３７に迅速に透過させ、好適な濾過効果を達成する。且つ、水がセラミック片濾過層３１に濾過される時、セラミック片は天然珪藻土添加含有銀イオン成分製造を採用してなり、濾過孔が０．５μｍであり、該天然原料を素焼きして製成された濾芯は、濾過効果が優れるだけでなく、更に、微小な病原菌、細菌、胞嚢菌を効率的に除去し、濾過効果は、更に９９．９９％以上に達する。水が竹炭添加重金属除去剤濾片濾過層３２に濾過される時、高圧縮炭素棒を焼いて形成された竹炭添加重金属除去剤濾片が、水中のクロロフォルム、有害な化学物質、揮発性有機物（Ｖｏｃｓ）、鉄錆、臭い、重金属及び農薬等を効率的に吸着する。水がイオン交換樹脂顆粒濾過層３８に濾過される時、水内の石灰質を樹脂内に吸着し、硬水を軟水に変化させ、水の硬度を低減し、水質軟化の目的を達成する。水が銅亜鉛合金（ＫＤＦ）顆粒濾過層３３に濾過される時、高度の技術によって銅亜鉛５５を混合精製して形成した該銅亜鉛合金顆粒は、環境保全の要求に適した水処理媒体であって、効率的に塩素を除去し、その効果は、活性炭の６倍であり、Ｐｈ値を調整し、マグネシウム、カルシウムイオンを低減し、効率的に菌類、藻類を制御し、水溶性重金属、例えば、鉛、鉄、カドミウム、アルミ及びその他の無機物質を除去する。水が亜硫酸マグネシウム顆粒濾過層３４により濾過される時、該亜硫酸マグネシウム顆粒は、日本食品合格認証及び品質合格認証を得たものであり、亜硫酸マグネシウム純度９８％であり、耐高温、塩素除去効果が良好であり、吸着量が大きく、活性炭に比べ吸着量は、２００倍以上であり、良好な塩素除去効果を達成する。水がアルカリ性微量元素鉱物顆粒濾過層３５に濾過される時、深海から取った鉱石、火山性岩鉱及びその他の各地の希少な鉱石を原料として高度の技術により重要な元素を溶錬し、バイオテクノロジーにより重組複合したもので、例えば、該微量元素鉱石顆粒は、鉱石から鉱物元素の粉末として成型固化した後、高温で顆粒状に焼結したもので、水を、酸素を多く含んだアルカリ性イオン水、多種の鉱物質及び微量元素を含んだものに変化させ、鉱物質及び微量元素は、人類の健康に対して絶対的重要性を有し、鉱物質及び微量元素が無ければ���生命力がなく、生物体細胞内の各種鉱物質及び微量元素の組み合わせが均衡すれば、各種疾病原因を回避することができ、人体がそれらの鉱物質及び微量元素を欠乏すれば、発育遅延、免疫機能の不足、病への抵抗力の低下、精神状態の悪化、身体機能衰弱、代謝作用の異常、身体各部の腺体などの正常動作不能等を引き起こす。水が電気石、セラミック焼結顆粒濾過層３６に濾過される時、電気石、セラミック焼結顆粒が水分子クラスターを瞬間的に切削できることにより、一般の水道水の分子１３〜１６個の大分子クラスター水を切断し、５〜６個の揃った、密度の高い、浸透力の強い小さな水分子クラスターに再配列し、同時に水の活性を向上させ、小分子クラスター水が更に効率的に人体及び動植物細胞に浸透して、細胞中の汚染源を効率的に細胞外に排出し、細胞を清潔活性化し、身体をより健康にし、前記の電気石、セラミック焼結顆粒は、細胞を発生する以外に、細胞を清潔活性化し、身体を健康にすることができ、前記の電気石、セラミック焼結顆粒は、遠赤外線を発生する作用があり、電気石粉をセラミックと焼結してなる。水が抗菌銀イオン織布濾過層３７により濾過される時、銀イオンが顕著な抗菌効果を有し、活性銀イオンが細菌体内のプロテイン上のスルフヒドリル基を吸着し、迅速に結合してスルフヒドリル基を含む酵素に活性を失わせ、細菌を死亡させ、大腸菌、黄色葡萄球菌、サルモネラ菌、バクテリア菌に対して何れも良好な制御効果を有し、且つ抗薬性を発生せず、毒性がなく、アレルギーを刺激せず、酸アルカリ値の影響を受けず、効果が長期持続する利点を有する。
【符号の説明】
【００２１】
１  定位ソケット
１１  開口
１２，１５  接続壁
１２１，１５１，２５０  外螺子山
１３  係止部
１４，３０１  開口
２  加圧装置
２１  固定蓋
２１１  内環形壁
２１１１，２１３，３０１１  内螺子山
２１２  貫通軸孔
２１４，２１１６  環形凹溝
２１５，２１１７  シールパッド
２２  ピストンロッド
２２１  ロッド体
２２２  柄部
２３  ピストン
２３１  環形溝
２３２  パッキン
２４  弁
２４１  嵌合部
２４２  上壁面
２５  シリンダ
２５１  シリンダ槽
２５２，３０２  底壁面
２５２１  定位槽
２５２２  排気孔
３  濾過器
３０  収容殻体
３０２１  通孔
３１  セラミック片濾過層
３２  竹炭添加重金属除去剤濾片濾過層
３３  銅亜鉛合金（ＫＤＦ）顆粒濾過層
３４  亜硫酸カルシウム顆粒濾過層
３５  アルカリ性微量元素鉱石顆粒濾過層
３６  電気石、セラミック焼結顆粒濾過層
３７  抗菌銀イオン不織布濾過層
３８  イオン交換樹脂顆粒濾過層
【図１】
0003150946.tif 000003
【図２】
0003150946.tif 000004
【図３】
0003150946.tif 000005